(57)【要約】【課題】カメラのレンズ交換に際して、カメラのボディから取り外した標準レンズまたは交換レンズをその標準レンズ等に備わっているチャック機構を利用して手早くり付け、雨水や塵芥の侵入の怖れなく携帯可能とする。【解決手段】身に付けて携帯することが可能な携帯手段１１を備える取付けベース１２にカメラの標準レンズまたは交換レンズ３０のチャック機構に掛合可能なチャック機構１３ｂを組み込んだレンズマウント１３，１３を取り付ける。各レンズマウント１３のチャック機構１３ｂは、カメラの標準レンズ等のチャック機構に気密かつ水密に掛合する。【選択図】　図３
2004062125.tif 000002
【特許請求の範囲】
【請求項１】
身に付けて携帯することが可能な携帯手段を備える取付けベースにカメラの標準レンズまたは交換レンズのチャック機構に掛合可能なチャック機構を組み込んだレンズマウントを取り付けてなり、
該レンズマウントのチャック機構は、カメラの標準レンズまたは交換レンズのチャック機構に気密かつ水密に掛合することを特徴とするカメラの交換レンズホルダ。
【請求項２】
前記取付けベースに前記レンズマウントを複数個取り付けることを特徴とする請求項１に記載のカメラの交換レンズホルダ。
【請求項３】
前記取付けベースを挟んで一対の前記レンズマウントを背合せ姿勢に取り付けることを特徴とする請求項２に記載のカメラの交換レンズホルダ。
【請求項４】
前記取付けベースが人体の胴部の形状に沿って弧状に形成され、前記携帯手段によって水平姿勢で身につける板体を備え、複数の前記レンズマウントを該板体の裏面側に下向きに並設することを特徴とする請求項２に記載のカメラの交換レンズホルダ。
【請求項５】
前記携帯手段が両端を前記取付けベースに連結した肩紐であることを特徴とする請求項請求項１ないし請求項４のいずれかに記載のカメラの交換レンズホルダ。
【請求項６】
前記携帯手段がズボンのベルトを挿通するループ部またはズボンのベルトに掛止するフック部を備えることを特徴とする請求項１ないし請求項４のいずれかに記載のカメラの交換レンズホルダ。
【請求項７】
前記レンズマウントが開閉自在の盲蓋を備えることを特徴とする請求項１ないし請求項６のいずれかに記載のカメラの交換レンズホルダ。
【発明の詳細な説明】
【０００１】
【発明の属する技術分野】
本発明は、カメラのアクセサリ用品に関し、詳細には、カメラの標準レンズまたは交換レンズを取付け可能なレンズマウントを備え、これを身に付けて携帯可能とすることによって、撮影現場の状況に拘らず、カメラから取り外した標準レンズまたは交換レンズの置き場所の選定に苦慮することのないように工夫したカメラの交換レンズホルダに関する。
【０００２】
【従来の技術】
標準レンズの以上の撮像特性または撮像機能を必要とするプロの写真家等においては、写真撮影に際して数本の交換レンズを携行し、撮影現場の状況と撮影目的によって交換レンズを選んで使用している。したがって、撮影現場でのレンズ交換作業は、プロの写真家等にとって避けられない作業である。
【０００３】
交換レンズの選択は難しいが、カメラのレンズ交換作業自体は、カメラに取り付けられた標準レンズを取り外し、これに換えて携行してきた交換レンズをカメラに取り付ける簡単な作業内容である。しかし、屋外においてカメラのレンズ交換するには、極めて神経を使うのである。これは、カメラが、精密な機械系と光学系とマイクロ化された電気系とからなる精密装置であり、カメラの内部および交換レンズ内に雨水や塵芥が侵入することを極端に嫌うためである。
【０００４】
【発明が解決しようとする課題】
カメラのレンズ交換作業に際し、先ず、取り外した標準レンズをどこか適当な場所に置く必要があるが、例えば、雨天時の屋外においては、適当な置き場所はないといってもよいほどである。そこで、置き場所の選定に手間取り、稀有のシャッターチャンスを逃したりすることもある。また、取り外したレンズを収納するためのバッグ等を携帯すれば、携帯品が増えて機敏な撮影活動の支障となる上、バッグの開閉にも最低限の時間が必要である。そこで、特にプロの写真家の間では、レンズ交換を手早く完了することができるとともに、取り外した標準レンズ等を撮影活動の支障とならないように携帯可能なものであって、かつ、携帯中において雨水や塵芥の侵入を許さないようなアクセサリ用品が要望されていた。しかし、これらの要求を同時に満たすような用具は提供されていなかった。
【０００５】
本発明は、カメラのボディ側に設けられているレンズマウントにレンズを取り付けた場合、通常の使用においてこの部分から雨水や塵芥が侵入することがないことに着目し、このレンズマウントの構造を部分的に採り入れることによって、レンズ交換の容易性と撮影活動を阻害しない携帯性、および携帯中における耐水性、耐塵性を同時に満足するカメラの交換レンズホルダを提供することを目的とする。
【０００６】
【課題を解決するための手段】
この目的を達成するための手段として本発明は、次のような構成を採用する。
【０００７】
本発明に係るカメラの交換レンズホルダの請求項１に対応する構成は、身に付けて携帯することが可能な携帯手段を備える取付けベースにカメラの標準レンズまたは交換レンズのチャック機構に掛合可能なチャック機構を組み込んだレンズマウントを取り付けてなり、そして、レンズマウントのチャック機構は、カメラの標準レンズまたは交換レンズのチャック機構に気密かつ水密に掛合することを特徴とする。
【０００８】
この構成によれば、カメラの交換レンズホルダは、携帯手段を利用することによって撮影現場に携行することができる。そして、交換レンズホルダには、レンズマウントが設けられており、このレンズマウントには、カメラの標準レンズまたは交換レンズのチャック機構に掛合可能なチャック機構が組み込まれている。また、レンズ交換作業に際してカメラから標準レンズを取り外すと、そのチャック機構が現れる。そこで、取り外した標準レンズ等は、その置き場所を探すまでもなく、携帯しているカメラの交換レンズホルダのチャック機構と掛合させることによって交換レンズホルダに一体化させて携帯することができる。この際、交換レンズホルダのチャック機構と標準レンズ側のチャック機構とは、気密かつ水密に掛合するので、携帯中に雨水や塵芥が侵入するのを防止することができる。
【０００９】
本発明に係るカメラの交換レンズホルダの請求項２に対応する構成は、取付けベースにレンズマウントを複数個取り付けることを特徴とする。
【００１０】
この構成によれば、交換レンズホルダをカメラから取り外した標準レンズ等の置き場所用途の他に、予備の交換レンズの携帯用途にも利用することができる。すなわち、カメラのボディには、レンズが１個しか付いていないのであるから、カメラから取り外した標準レンズ等の置き場所としては、空いているレンズマウントが一個あれば足りるのであり、したがって、他のレンズマウントには予備の交換レンズを取り付けて携行することができるのである。
【００１１】
本発明に係るカメラの交換レンズホルダの請求項３に対応する構成は、取付けベースを挟んで一対の前レンズマウントを背合せ姿勢に取り付けることを特徴とする。
【００１２】
この構成によれば、取付けベースの所要大きさがレンズマウント一個分で足りるので、交換レンズホルダを最もコンパクトにすることができる。二個のレンズマウントの一方には、予備の交換レンズを取り付けて携行することができ、レンズ交換作業に際しては、カメラから取り外したレンズを空いているレンズマウントに取り付けた上、携行してきた交換レンズをレンズマウントから取り外してカメラに取り付ける要領によって使用することができる。
【００１３】
本発明に係るカメラの交換レンズホルダの請求項４に対応する構成は、取付けベースが人体の胴部の形状に沿って弧状に形成され、携帯手段によって水平姿勢で身につける板体を備え、複数のレンズマウントを板体の裏面側に下向きに並設することを特徴とする。
【００１４】
この構成によれば、携帯手段は、取付けベースの板体が水平姿勢となるように身に付けることができる。したがって、板体の裏面側の複数のレンズマウントに複数の交換レンズは、いずれも板体から下向きに吊下される姿勢となるので、高倍率の大型の交換レンズであっても、安定に携行することができる。
【００１５】
本発明に係るカメラの交換レンズホルダの請求項５に対応する構成は、携帯手段が両端を取付けベースに連結した肩紐であることを特徴とする。
【００１６】
この構成によれば、交換レンズを交換レンズホルダを介して肩に掛けて携行することができるので、両手を使って手早くレンズ交換作業をすることができる。
【００１７】
本発明に係るカメラの交換レンズホルダの請求項６に対応する構成は、携帯手段がズボンのベルトを挿通するループ部またはズボンのベルトに掛止するフック部を備えることを特徴とする。
【００１８】
この構成によれば、交換レンズを交換レンズホルダを介して腰の位置においてズボンのベルトに掛けて携行することができるので、上半身を自由な撮影姿勢とすることができるとともに、両手を使って手早くレンズ交換作業をすることができる。
【００１９】
本発明に係るカメラの交換レンズホルダの請求項７に対応する構成は、レンズマウントが開閉自在の盲蓋を備えることを特徴とする。
【００２０】
この構成によれば、盲蓋によって空いているレンズマウントのチャック機構に雨水や塵芥が付着するのを防止し、盲蓋を開いてレンズマウントを利用することによって、雨水や塵芥がレンズマウントを介して間接的に交換レンズ内に侵入するのを防止することができる。
【００２１】
【発明の実施の形態】
以下、図面を引用しながら本発明の実施の形態を説明する。
【００２２】
カメラの交換レンズホルダ１０は、取付けベース１２と、取付けベース１２に連結される携帯手段１１と、取付けベース１２に固定されるレンズマウント１３とを主要部材としてなり、レンズマウント１３には、防塵用の盲蓋１５が付属する（図１）。
【００２３】
取付けベース１２は、強靭な布地材料を芯材とし、これを軟質のシリコン樹脂で挟み込んだ上、打ち抜き加工したものであり、耐候性に富むとともに、適度の可撓性を有する。取付けベース１２は、舌片状に突出した連結部１２ｂを備える円板状に形成され、円板状の部分の直径は、レンズマウント１３の直径より一回り大きく設定されている。
【００２４】
携帯手段１１には、交換レンズホルダ１０を身に付けて携帯するための肩紐１１ａが採用されている。肩紐１１ａは、ポリエステル繊維を細い平帯状に製識したものであり、肩紐１１ａは、両端部分で連結部１２ｂを挟み込んでカシメピン１２ｐを打ち込むことによって取付けベース１２に連結されている。なお、肩紐１１ａの長さは、肩から掛け下げたときに取付けベース１２が略腰の位置にくる程の長さに設定されている。
【００２５】
レンズマウント１３は、一端側にのみ底板１３ｇを有する外筒１３ａと、外筒１３ａの開口部に組み込むチャック機構１３ｂとからなる。外筒１３ａは、樹脂材料からなり、レンズマウント１３に取り付けられる標準レンズ等の一端を受け入れる内室を形成するための部材である。また、チャック機構１３ｂは、金属材料を旋削加工した円環状に形成され、レンズマウント１３に取り付けられる標準レンズ等に備えられているチャック機構と互いに掛合することによって、その脱落を阻止する機構である。したがって、チャック機構１３ｂには、中心側に向けて三方向から掛合用の掛合爪１３ｔ，１３ｔ…が突設されている。
【００２６】
このチャック機構１３ｂは、外筒１３ａの開口部の内側に一部埋め込むようにして固定されている。この際、チャック機構１３ｂの端面には、圧縮ばねによって付勢したロックピン１３ｐが突出するようにされている。ロックピン１３ｐは、レンズマウント１３に取り付けた標準レンズ等の回り止め用であり、チャック機構１３ｂの掛合爪１３ｔ，１３ｔ…が所定の位置にまでねじ込まれたときにおいて、標準レンズ等のチャック機構側の対応する箇所に設けられるピン孔内に進出するようになっている。また、ロックピン１３ｐは、外筒１３ａ側に設けられたスライダ１３ｆをスライド操作することによって後退させることができる。
【００２７】
取付けベース１２に対してレンズマウント１３は、外筒１３ａの底板１３ｇと、取付けベース１２の反対面に添設する押え板１４とによって取付けベース１２を挟み込み、底板１３ｇ側から押え板１４のボス部１４ｂにねじｂを螺入して固定されている（図１，図２）。なお、盲蓋１５は、掛合爪１５ｔ，１５ｔを介してレンズマウント１３のチャック機構１３ｂに着脱自在、すなわち、開閉自在に掛合することができる
【００２８】
このようなカメラの交換レンズホルダ１０は（図２）、盲蓋１５を取り外した上、外筒１３ａ内に、例えば、カメラから取り外した標準レンズ２０のガイド筒２１を差し入れ、標準レンズ２０全体を時計方向または反時計方向に所定角度回し込むことによって、標準レンズ２０側のチャック機構の掛合爪１３ｔ，１３ｔがレンズマウント１３側のチャック機構１３ｂの掛合爪１５ｔ，１５ｔの下側に掛合し、レンズマウント１３側のチャック機構１３ｂの端面と標準レンズ２０側の受け金２２とが密着し、レンズマウント１３と標準レンズ２０とは、気密かつ水密に一体化する。また、この時点では、前記ロックピン１３ｐ（図１）が作動し、標準レンズ２０回転し得なくなっているので、撮影活動中にレンズマウント１３から標準レンズ２０が脱落することはない。なお、取り付けた標準レンズ２０の重みで、取付けベース１２の連結部１２ｂが屈曲するが（図２）、連結部１２ｂの屈曲運動は、適度なクッション効果をもたらす。
【００２９】
以下、順次に他の実施の形態について説明する。取付けベース１２には、レンズマウント１３を複数個取り付けることができる（図３，図４）。また、２個のレンズマウント１３，１３を用いる場合においては、取付けベース１２を挟んで一対のレンズマウント１３，１３を背合せ姿勢に取り付けることができる（図３）。取付けベース１２は、樹脂製の厚板からなり、変形的な八角形に成形されている。一対のレンズマウント１３，１３は、それぞれ、外筒１３ａの底板１３ｇからねじｂを螺入することによって取付けベース１２の中央位置に固定されている。取り付けられたレンズマウント１３，１３を挟む取付けベース１２の対向側面には、連結用のジョイント金具１６ａ，１６ａを備えるスイベル金具１６，１６が突設されており、携帯手段１１としての肩紐１１ａの両端は、それぞれ、スイベル金具１６を介して取付けベース１２に連結されている。
【００３０】
この形態のカメラの交換レンズホルダ１０は、例えば、一方のレンズマウント１３に交換レンズ３０を取り付けて写真撮影に携行することができるので、バッグ等の他の所持品を省略することができる。そして、レンズ交換作業は、残る一方のレンズマウント１３にカメラから取り外した標準レンズ２０を取り付け、次いで、レンズマウント１３から交換レンズを取り外してカメラに取り付ける要領によって実施することができる。この際、取付けベース１２は、スイベル金具１６，１６の作用によって重い方が下に向くように反転することができるので、レンズマウント１３に取り付けられた標準レンズ２０は、携帯上安定な下垂姿勢をとることができる。
【００３１】
カメラの交換レンズホルダ１０における取付けベース１２は、人体ＨＤの胴部の形状に沿って弧状に形成された板体１２ｄと、人体ＨＤに当接する面積を増加させるためのパッド１２ｇとからなり（図４）、そして、複数のレンズマウント１３，１３…を板体１２ｄの裏面側に下向きに並設し、肩紐１１ａによって板体１１ｄを水平姿勢に支持して携帯する構成とすることができる。なお、板体１２ｄは、硬質発泡樹脂からなり、パッド１２ｇは人体ＨＤの胴部に倣って曲面構成した同様の素材を発泡ウレタンで表装したものである。また、肩紐１１ａは、耐荷重の大きいものであり、板体１２ｄがベルトＢ１の位置に来る程度の長さとすることが好ましい。
【００３２】
この形態のカメラの交換レンズホルダ１０は、２本の交換レンズをレンズマウント１３，１３に取り付けて携帯することができる。この際、１個のレンズマウント１３が空いているので、レンズ交換作業は、上記と同様に両手を使って手早く実施することができる。
【００３３】
なお、カメラの交換レンズホルダ１０における携帯手段１１は、ズボンのベルトＢ１を挿通するループ部１１ｐ（図６）、またはズボンのベルトＢ１に掛止するフック部１１ｆ（図５）を備える構成とすることができる。
【００３４】
取付けベース１２は、全体が断面逆Ｌ字形に形成された板体１２ｄからなり、レンズマウント１３，１３は、水平部分の裏面に下向きに取り付けられている（図５，図６）。また、板体１２ｄの直立部分には、金属の帯板を曲げ加工してなるフック部１１ｆを備える携帯手段１１が固定されており、ベルトＢ１に掛けて携帯することができる（図５）。また、ループ部１１ｐを備える場合には、ベルトＢ１を通して携帯することができる（図６）。なお、携帯手段１１は、樹脂製とすることもでき、レンズマウント１３の数は１個に限られない。
【００３５】
【発明の効果】
本発明に係るカメラの交換レンズホルダは、カメラの標準レンズまたは交換レンズのチャック機構に気密かつ水密に掛合可能なチャック機構を組み込んだレンズマウントを身に付けて携帯することが可能な携帯手段を備える取付けベースに取り付けることによって、カメラのレンズ交換作業は、両手を使って行なえるとともに、この際にカメラのボディから取り外した標準レンズまたは交換レンズは、その置き場所を探すまでもなく、その標準レンズ等に備わっているチャック機構を利用して交換レンズホルダに手早く取り付けることができるので、シャッターチャンスに即応することが可能であり、また、レンズ交換後においては、雨水や塵芥の侵入の怖れなく携帯することができる。
【図面の簡単な説明】
【図１】本発明の実施の形態を示す斜視図である。
【図２】本発明の実施の形態における要部を断面表示した側面図である。
【図３】本発明の他の実施の形態を示す斜視図である。
【図４】本発明の他の実施の形態を示す斜視図である。
【図５】本発明の他の実施の形態を示す正面図である。
【図６】本発明の他の実施の形態を示す正面図である。
【符号の説明】
Ｂ１　　　　ベルト
ＨＤ　　　　人体
１０　　　　交換レンズホルダ
２０　　　　標準レンズ
３０　　　　交換レンズ
１１　　　　携帯手段
１１ａ　　　肩紐
１１ｆ　　　フック部
１１ｐ　　　ループ部
１２　　　　取付けベース
１２　　　　板体
１３　　　　レンズマウント
１３ｂ　　　チャック機構
１５　　　　盲蓋
【図１】
2004062125.tif 000003
【図２】
2004062125.tif 000004
【図３】
2004062125.tif 000005
【図４】
2004062125.tif 000006
【図５】
2004062125.tif 000007
【図６】
2004062125.tif 000008